(57)【要約】【課題】採光部のガラスを容易に交換可能で、防火性に優れた扉の防火構造を提供する。【解決手段】採光窓が形成される開口部を備え難燃性または不燃性の部材にて覆われた扉本体と、開口部に設けられて内周を覆う難燃性または不燃性の枠体と、枠体の内側に、セッティングブロック上に載置された状態で配置されるガラスと、枠体における扉の一方の面側の上部に固定されてガラスの上端を収容する上端収容部を、枠体における扉の他方の面側の上部との間に形成する難燃性または不燃性の上押縁と、枠体における扉の一方の面側の下部に固定されてガラスの下端を収容する下端収容部を、枠体における扉の他方の面側の下部との間に形成する難燃性または不燃性の下押縁と、を有し、ガラスは、上押縁及び下押縁が固定されて枠体の内周側に保持され、下押縁は、ガラスの下方に配置されてセッティングブロックの溶融によるガラスの降下を防止する降下防止部を有している。【選択図】図２
2015151787.tif 000002
【特許請求の範囲】
【請求項１】
採光窓を備えた扉の防火構造であって、
前記採光窓が形成される開口部を備え難燃性または不燃性の部材にて覆われた扉本体と、
前記開口部に設けられ当該開口部の内周を覆う難燃性または不燃性の枠体と、
前記枠体の内側に、合成樹脂製のセッティングブロック上に載置された状態で配置されるガラスと、
前記枠体における前記扉の一方の面側の上部に固定されて前記ガラスの上端を収容する上端収容部を、前記枠体における前記扉の他方の面側の上部との間に形成する難燃性または不燃性の上押縁と、
前記枠体における前記扉の一方の面側の下部に固定されて前記ガラスの下端を収容する下端収容部を、前記枠体における前記扉の他方の面側の下部との間に形成する難燃性または不燃性の下押縁と、
を有し、
前記ガラスは、前記上押縁及び前記下押縁が固定されて前記枠体の内周側に保持され、
前記下押縁は、前記ガラスの下方に配置されて前記セッティングブロックの溶融による前記ガラスの降下を防止する降下防止部を有していることを特徴とする扉の防火構造。
【請求項２】
請求項１に記載の扉の防火構造であって、
前記枠体は、前記他方の面側に前記ガラスのサイズより小さな他方側開口を形成して、前記ガラスの周端部と前記扉の厚み方向に対向する対向壁部と、
前記一方の面側に前記ガラスの上下方向の幅より大きなサイズの一方側開口を形成して、前記上押縁及び前記下押縁が固定される押縁固定部と、
を有し、
前記押縁固定部に固定された前記上押縁と前記下押縁との上下方向の間隔は、前記対向壁部と前記押縁固定部との間に配置される前記ガラスの上下方向の幅より狭く、前記降下防止部と前記押縁固定部に固定された前記上押縁の下縁との間隔は、前記ガラスの上下方向の幅より狭いことを特徴とする扉の防火構造。
【請求項３】
請求項１または請求項２に記載の扉の防火構造であって、
前記扉の幅方向において、前記セッティングブロックの幅は、前記ガラスの幅より狭く、前記降下防止部は、前記扉の幅方向において前記セッティングブロックと並べて配置されることを特徴する扉の防火構造。
【請求項４】
請求項１乃至請求項３のいずれかに記載の扉の防火構造であって、
前記下押縁は前記押縁固定部上に載置されて固定され、
前記下押縁の前記押縁固定部の上面に当接された部位が、前記セッティングブロックの上面より低い位置にて前記ガラスの下方に至るように延出されて前記降下防止部をなしていることを特徴とする扉の防火構造。
【請求項５】
請求項１乃至請求項４のいずれかに記載の扉の防火構造であって、
前記枠体は、前記開口部の左右の内周を覆う部位に、前記ガラスの左右の側端部が収容される側端収容部を備えていることを特徴する扉の防火構造。
【請求項６】
請求項１乃至請求項５のいずれかに記載の扉の防火構造であって、
前記扉本体は、前記開口部を形成する開口形成穴を備えた難燃性または不燃性の表面材及び裏面材と、
前記表面材と前記裏面材との間に介在される芯材と、
前記枠体と、
を有し、
前記枠体は、前記ガラスを囲むように設けられる枠本体と、前記枠本体の外周側に固定される補強材と、を有し、
前記補強材は、前記枠本体および前記芯材の前記扉の厚み方向の幅より狭く形成されており、
前記表面材および前記裏面材との間に熱発泡性耐火材を介して接合されていることを特徴とする扉の防火構造。
【発明の詳細な説明】
【技術分野】
【０００１】
本発明は、採光窓を備えた扉の防火構造に関する。
【背景技術】
【０００２】
従来から、採光窓を備えた扉として、例えば、パネル体の開口に配置されたセッティングブロック上に採光窓用のガラスが載置されて、パネル体に嵌め込まれた扉が知られている(例えば、特許文献１参照)。
【先行技術文献】
【特許文献】
【０００３】
【特許文献１】特開２００１−４９９６３号公報
【発明の概要】
【発明が解決しようとする課題】
【０００４】
ガラスが載置されるセッティングブロックは、ガラスと金属との接触を避けるため一般的に合成樹脂にて形成されている。このため、セッティングブロックが火災等の火炎により加熱されると溶融され、ガラスが所定の位置より下がることにより、ガラスの上端部が、ガラスが嵌め付けられている開口の上縁から外れて脱落するおそれがあるという課題がある。
【０００５】
また、扉を構成する表面材及び裏面材に、ガラスのサイズより小さな採光窓を形成し、扉の製造時に表面材と裏面材との間にガラスを嵌め込んで脱落しないようにした扉も存在するが、ガラスを損傷した場合であっても、ガラスを交換することが困難であるという課題がある。
本発明は、かかる課題に鑑みてなされたものであり、その目的とするところは、採光部のガラスを容易に交換可能であり、かつ、防火性に優れた扉の防火構造を提供することにある。
【課題を解決するための手段】
【０００６】
かかる目的を達成するために本発明の扉の防火構造は、採光窓を備えた扉の防火構造であって、前記採光窓が形成される開口部を備え難燃性または不燃性の部材にて覆われた扉本体と、前記開口部に設けられ当該開口部の内周を覆う難燃性または不燃性の枠体と、前記枠体の内側に、合成樹脂製のセッティングブロック上に載置された状態で配置されるガラスと、前記枠体における前記扉の一方の面側の上部に固定されて前記ガラスの上端を収容する上端収容部を、前記枠体における前記扉の他方の面側の上部との間に形成する難燃性または不燃性の上押縁と、前記枠体における前記扉の一方の面側の下部に固定されて前記ガラスの下端を収容する下端収容部を、前記枠体における前記扉の他方の面側の下部との間に形成する難燃性または不燃性の下押縁と、を有し、前記ガラスは、前記上押縁及び前記下押縁が固定されて前記枠体の内周側に保持され、前記下押縁は、前記ガラスの下方に配置されて前記セッティングブロックの溶融による前記ガラスの降下を防止する降下防止部を有していることを特徴とする扉の防火構造である。
【０００７】
このような扉の防火構造によれば、採光窓が形成される開口部を備えた扉本体は、難燃性または不燃性の部材にて覆われており、開口部の内周を覆い内側にガラスが配置される枠体と、ガラスの上端を収容する上端収容部を形成する上押縁及びガラスの下端を収容する下端収容部を形成する下押縁とは難燃性または不燃性の部材で形成されているので、防火性に優れた扉を提供することが可能である。また、ガラスは、上端収容部を形成する上押縁および下端収容部を形成する下押縁が固定されて枠体の内側に保持されるので、上押縁および下押縁を取り外すことにより、ガラスを容易に取り外すことが可能である。
【０００８】
また、合成樹脂製のセッティングブロックに載置されたガラスの下方には、下押縁の降下防止部が配置されるので、たとえ火炎などによりセッティングブロックが溶融したとしても、ガラスは降下防止部に支えられて降下しないので、ガラスが降下して枠体との間に隙間が生じることを防止することが可能である。このため、採光部のガラスを容易に交換可能であり、かつ、防火性に優れた扉の防火構造を提供することが可能である。
【０００９】
かかる扉の防火構造であって、前記枠体は、前記他方の面側に前記ガラスのサイズより小さな他方側開口を形成して、前記ガラスの周端部と前記扉の厚み方向に対向する対向壁部と、前記一方の面側に前記ガラスの上下方向の幅より大きなサイズの一方側開口を形成して、前記上押縁及び前記下押縁が固定される押縁固定部と、を有し、前記押縁固定部に固定された前記上押縁と前記下押縁との上下方向の間隔は、前記対向壁部と前記押縁固定部との間に配置される前記ガラスの上下方向の幅より狭く、前記降下防止部と前記押縁固定部に固定された前記上押縁の下縁との間隔は、前記ガラスの上下方向の幅より狭いことが望ましい。
【００１０】
このような扉の防火構造によれば、枠体の、他方の面側の開口をなす他方側開口は、ガラスのサイズより小さいので、ガラスが他方の面側に外れることはない。また、枠体の、一方の面側の開口をなす一方側開口の押縁固定部に固定された上押縁と下押縁との上下方向の間隔は、ガラスの上下方向の幅より狭いので、上押縁と下押縁とが取り付けられるとガラスは外れ難い。更に、降下防止部と押縁固定部に固定された上押縁の下縁との間隔もガラスの上下方向の幅より狭いので、ガラスが載置されているセッティングブロックがたとえ火炎等により溶融したとしても、ガラスは降下防止部材上に載置されてガラスの上縁と上押縁との間に隙間が生じることを防止することが可能である。
【００１１】
かかる扉の防火構造であって、前記扉の幅方向において、前記セッティングブロックの幅は、前記ガラスの幅より狭く、前記降下防止部は、前記扉の幅方向において前記セッティングブロックと並べて配置されることが望ましい。
このような扉の防火構造によれば、セッティングブロックの幅はガラスの幅より狭いので、セッティングブロックが配置されていない位置に、降下防止部をセッティングブロックと幅方向に並べて配置することが可能である。また、扉の幅方向において、降下防止部とセッティングブロックとは並べて配置されているので、セッティングブロックが溶融した際には、ガラスを自ずと降下防止部上に載置させることが可能である。
【００１２】
かかる扉の防火構造であって、前記下押縁は前記押縁固定部上に載置されて固定され、前記下押縁の前記押縁固定部の上面に当接された部位が、前記セッティングブロックの上面より低い位置にて前記ガラスの下方に至るように延出されて前記降下防止部をなしていることが望ましい。
このような扉の防火構造によれば、降下防止部は、下押縁の押縁固定部の上面に当接された部位がセッティングブロックの上面より低い位置に延出されて形成されているので、降下防止部を容易に下押縁に設けることが可能である。
【００１３】
かかる扉の防火構造であって、前記枠体は、前記開口部の左右の内周を覆う部位に、前記ガラスの左右の側端部が収容される側端収容部を備えていることが望ましい。
このような扉の防火構造によれば、枠体がガラスの左右の側端部が収容される側端収容部を備えているので、上押縁及び下押縁が取り付けられた状態でガラスが一方の面側から外れることを防止することが可能である。
【００１４】
かかる扉の防火構造であって、前記扉本体は、前記開口部を形成する開口形成穴を備えた難燃性または不燃性の表面材及び裏面材と、前記表面材と前記裏面材との間に介在される芯材と、前記枠体と、を有し、前記枠体は、前記ガラスを囲むように設けられる枠本体と、前記枠本体の外周側に固定される補強材と、を有し、前記補強材は、前記枠本体および前記芯材の前記扉の厚み方向の幅より狭く形成されており、前記表面材および前記裏面材との間に熱発泡性耐火材を介して接合されていることが望ましい。
【００１５】
扉本体は扉の面内方向において枠体より外周側に芯材を備えているが、従来の扉構造であれば、火炎等により表面材および裏面材の開口形成穴側の部位に枠体から離れる方向に反りが生じ、枠体と表面材および裏面材との間に隙間が生じ、火炎等が芯材側に進入しやすくなる。一方、上記扉の防火構造によれば、枠体の芯材側に位置する補強材の表面材および裏面材との間に熱発泡性耐火材が介在されているので、火炎等により表面材および裏面材の反りによる隙間が生じても、補強材に設けられた熱発泡性耐火材が発泡して隙間を埋めるので、耐火材が損傷することを防止することが可能である。このとき、熱発泡性耐火材は、扉の厚み方向の幅が枠本体および芯材より狭く形成された補強材に設けられているので、熱発泡性耐火材が発泡前の状態では、扉の表面および裏面を平坦に仕上げることが可能である。
【発明の効果】
【００１６】
本発明によれば、採光部のガラスが交換可能であり、かつ、防火性に優れた扉の防火構造を提供することが可能である。
【図面の簡単な説明】
【００１７】
【図１】本実施形態に係る扉を屋内側から見た正面図である。
【図２】本発明に係る扉の縦断面図である。
【図３】本発明に係る扉の平断面図である。
【発明を実施するための形態】
【００１８】
以下、本発明の一実施形態に係る扉の防火構造について図面を参照して説明する。
本実施形態では、扉として、玄関に用いられる玄関扉を例に挙げて説明する。
以下の説明においては、玄関扉（以下、扉という）が建物に取り付けられている状態で屋内側から見たときに、上下となる方向を上下方向、左右となり扉の幅となる方向を左右方向または幅方向、屋内外方向である奥行き方向を見込み方向または扉の厚み方向として示す。また、扉を構成する各部材及び各部位については、単体の状態であっても扉が取り付けられた状態で上下方向、左右方向、見込み方向等となる方向にて方向を特定して説明する。
【００１９】
扉１は、図１に示すように、上下方向のほぼ中央であって戸先側に扉１を開閉するためのハンドル１ａを備え、扉１の上側部分に採光窓１１を備えている。図１においては、右側が扉１の戸先側であり、左側が扉１の吊元側である。
【００２０】
扉１は、図２、図３に示すように、採光窓１１が形成される開口部２ａを備え建物にヒンジ１ｂにより回動自在に支持される扉本体２と、開口部２ａに設けられ当該開口部２ａの内周を覆う鉄製の枠体３と、合成樹脂製のセッティングブロック４上に載置された状態で枠体３の内側に配置されるガラス５と、枠体３における扉１の室内側（一方の面側）の上部に固定される鉄製の上押縁６と、枠体３おける室内側の下部に固定される鉄製の下押縁７と、上押縁６および下押縁７を覆う化粧材２７とを有している。
【００２１】
扉本体２は、パネル状に形成された芯材としてのペーパーハニカム製のパネル材２３と、パネル材２３の外周を囲むように設けられた不燃性である鉄製のフレーム２４と、パネル材２３の屋外側の面を覆い塗装や処理などの化粧が施された鋼板製の表面材としての屋外面材２１と、パネル材２３の屋内側の面を覆い塗装や処理などの化粧が施された鋼板製の裏面材としての屋内面材２２とを有している。
【００２２】
パネル材２３には、採光窓１１が形成される開口部２ａが形成されている。開口部２ａには、採光窓１１の縁をなす枠体３が、その内周に設けられるため、開口部２ａは採光窓１１のサイズより大きく形成されている。屋外面材２１は、フレーム２４が取り付けられたパネル材２３に屋外側から貼り付けられて、その周端部が全周に渡って屋内側に折り込まれ、また、屋内面材２２は、フレーム２４が取り付けられたパネル材２３に屋内側から貼り付けられて、その周端部が全周に渡って屋外側に折り込まれ、各々折り込んだ部位とフレーム２４とが重なる位置において外周側からリベット２５により接合されている。
【００２３】
屋外面材２１および屋内面材２２には、採光窓１１が形成される位置に開口形成穴２１ａ、２２ａが設けられている。この開口形成穴２１ａ、２２ａの周縁は、パネル材２３に形成された開口部２ａに設けられた枠体３側に、全周に渡って折り込まれている。すなわち、扉本体２は、パネル材２３が不燃性である鉄製のフレーム２４と、不燃性である鋼板製の屋外面材２１および屋内面材２２とに覆われて構成されている。
【００２４】
枠体３は、ガラス５を囲むように設けられる枠本体３１と、枠本体３１の外周側に固定される補強材３９とを有している。
枠本体３１は、ガラス５の左右に配置される一対の縦枠３２、３３と、ガラス５の上下に配置される上枠３４および下枠３５とが矩形状に枠組みされて形成されている。
【００２５】
左の縦枠３２と右の縦枠３３とは、長手方向（上下方向）において単一の断面形状をなす部位が全長に渡って連続する形状をなす同一の部材であり、互いの左右が逆になるように配置されて上枠３４および下枠３５に固定される。
【００２６】
左側の縦枠３２は屋外側に、水平断面がコ字状をなしガラス５の左端部が収容される側端収容部としてのガラス左端収容部３ｅを備え、ガラス左端収容部３ｅの屋内側に、採光窓１１の左側の縁をなす左窓縁部３２ｃを備えている。左の縦枠３２のガラス左端収容部３ｅは、見込み方向に互いに間隔を隔てて対向する一対の縦壁部３２ａと、一対の縦壁部３２ａの左側の縁同士を繋ぐ左縁連結部３２ｂと、屋内側に位置する縦壁部３２ａの、開口部２ａにおける中央側の縁から屋内側に延出された左窓縁部３２ｃと、左窓縁部３２ｃの屋内側の縁が左側に折り曲げられて屋内側の縦壁部３２ａと対向し屋内面材２２が貼り付けられる屋内側対向壁部３２ｄとを有している。
【００２７】
右の縦枠３３も左の縦枠３２と同様に、屋外側に側端収容部としてのガラス右端収容部３ｅと、屋内側に右窓縁部３３ｃとを有しており、右の縦枠３３のガラス右端収容部３ｅは、見込み方向に互いに間隔を隔てて対向する一対の縦壁部３３ａと、一対の縦壁部３３ａの右側の縁同士を繋ぐ右縁連結部３３ｂと、屋内側に位置する縦壁部の、開口部２ａにおける中央側の縁から屋内側に延出された右窓縁部３３ｃと、右窓縁部３３ｃの屋内側の縁が右側に折り曲げられて屋内側の縦壁部３３ａと対向し屋内面材２２が貼り付けられる屋内側対向壁部３３ｄとを有している。
【００２８】
左の縦枠３２のガラス左端収容部３ｅと右の縦枠３３のガラス右端収容部３ｅとには、各々一対の縦壁部３２ａ、３３ａの互いに対向する面に熱発泡性耐火材としての熱膨張性黒鉛８が設けられている。
【００２９】
上枠３４および下枠３５は、左右の縦枠３２、３３間に配置され、単一の断面形状をなす部位が長手方向（左右方向）に連続する横枠本体部３４ａ、３５ａと、横枠本体部３４ａ、３５ａの左右の両縁から各々左右方向に延出されて先端が折り曲げられ縦枠３２、３３がビス止めされる縦枠接合部３４ｂ、３５ｂとを有している。上枠３４および下枠３５は、同一の外形形状をなし、互いの上下が逆になるように縦枠３２、３３に固定される。
【００３０】
上枠３４は、縦枠３２、３３と接合された際に、縦枠３２、３３の屋外側の縦壁部３２ａ、３３ａと繋がった同一平面をなす位置に設けられ、ガラス５の上端が収容されるガラス上端収容部３ａを形成する屋外側の上横壁部３４ｃと、上横壁部３４ｃの上縁から屋内側に延出された上延出部３４ｄと、上延出部３４ｄの屋内側の縁から垂設されて縦枠３２、３３と接合された際に、縦枠３２、３３の屋内側の縦壁部３２ａ、３３ａと繋がった同一平面をなす位置に設けられた垂設壁部３４ｅと、垂設壁部３４ｅの下縁から屋内側に延出された平面をなし上押縁６が固定される上押縁固定部３４ｆとを有している。
【００３１】
上押縁固定部３４ｆの下面３４ｇは、上横壁部３４ｃの下縁３４ｈより高い位置に設けられており、上押縁固定部３４ｆに上押縁６が固定されたときに、上押縁６の下面（下縁）６ａと上横壁部３４ｃの下縁３４ｈとの高さが揃うように形成されている。
【００３２】
下枠３５は、縦枠３２、３３と接合された際に、縦枠３２、３３の屋外側の縦壁部３２ａ、３３ａと繋がった同一平面をなす位置に設けられ、ガラス５の下端が収容されるガラス下端収容部３ｂを形成する屋外側の下横壁部３５ｃと、下横壁部３５ｃの下縁から屋内側に延出された下延出部３５ｄと、下延出部３５ｄの屋内側の縁から立設されて縦枠３２、３３と接合された際に、縦枠３２、３３の屋外側の縦壁部３２ａ、３３ａと繋がった同一平面をなす位置に設けられた立設壁部３５ｅと、立設壁部３５ｅの上縁から屋内側に延出された平面をなし下押縁７が固定される下押縁固定部３５ｆと、を有している。下押縁固定部３５ｆの上面３５ｇは、下横壁部３５ｃの上縁３５ｈより低い位置に設けられており、下押縁固定部３５ｆに下押縁７が固定されたときに、下押縁７の上面７ａと下横壁部３５ｃの上縁３５ｈとの高さが揃うように形成されている。
上枠３４の上横壁部３４ｃと下枠３５の下横壁部３５ｃとの屋内側の面には、それぞれ熱発泡性耐火材としての熱膨張性黒鉛８が設けられている。
【００３３】
左右の縦枠３２、３３、上枠３４、および、下枠３５を接合すると、屋外側の左右の縦壁部３２ａ、３３ａ、上横壁部３４ｃおよび下横壁部３５ｃと、屋内側の左窓縁部３２ｃ、右窓縁部３３ｃ、上押縁固定部３４ｆおよび下押縁固定部３５ｆとの間に、外周側に窪む溝状をなしガラス５の周端部を収容するガラス収容部３ａ、３ｂ、３ｅが全周に渡って形成される。ここで、屋外側の左右の縦壁部３２ａ、３３ａ上横壁部３４ｃおよび下横壁部３５ｃに囲まれて形成される開口が、ガラス５のサイズより小さな他方側開口に相当し、屋内側の左窓縁部３２ｃ、右窓縁部３３ｃ、上押縁固定部３４ｆおよび下押縁固定部３５ｆに囲まれて形成される開口が、ガラスの上下方向の幅より大きなサイズの一方側開口に相当する。
【００３４】
補強材３９は、左右の縦枠３２、３３、上枠３４、および、下枠３５に、各々の外周側にリベット２６にて固定されている。左右の縦枠３２、３３、上枠３４、および、下枠３５の各部材に固定される補強材３９は、見込み方向に互いに間隔を隔てて対面する一対の対面壁部３９ａと、各対面壁部３９ａの一方の端部を連結する連結部３９ｂとを有し、断面がコ字状をなす鉄製の部材である。補強材３９は、固定されている左右の縦枠３２、３３、上枠３４、および、下枠３５の長さと各々同じ長さをなし、連結部３９ｂが、左の縦枠３２の左縁連結部３２ｂ、右の縦枠３３の右縁連結部３３ｂ、上枠３４の上延出部３４ｄおよび下枠３５の下延出部３５ｄが各々対向するように配置されてリベット２６により固定されている。
【００３５】
補強材３９の一対の対面壁部３９ａの屋外側面と屋内側面とには、熱膨張性黒鉛８が設けられており、扉本体２の開口部２ａに枠体３が装着されたときに、熱膨張性黒鉛８の屋外側面８ａと、枠体３の屋外側の左右の縦壁部３２ａ、３３ａ、上横壁部３４ｃおよび下横壁部３５ｃが、また、熱膨張性黒鉛８の屋内側面８ｂと、枠体３の屋内側対向壁部３２ｄ、３３ｄ、上押縁固定部３４ｆの屋内側の縁および下押縁固定部３５ｆの屋内側の縁とが、ほぼ同一平面上に位置している。すなわち、補強材３９は、枠体３に固定された状態で、一対の対面壁部３９ａの屋外側面と屋内側面との間隔Ｌ２が、パネル材２３の厚みおよび枠体３の見込み方向における幅Ｌ１より狭く形成されている。
【００３６】
扉本体２の開口部２ａに枠体３が配置された状態で、屋外面材２１の開口形成穴２１ａの周縁部が、枠体３の屋外側の左右の縦壁部３２ａ、３３ａ、上横壁部３４ｃおよび下横壁部３５ｃの縁部を覆うように屋内側に折り曲げられ、屋内面材２２の開口形成穴２２ａの周縁部が、枠体３の左窓縁部３２ｃ、右窓縁部３３ｃ、上押縁固定部３４ｆおよび下押縁固定部３５ｆの屋内側の部位を覆うように屋外側に折り曲げられている。
【００３７】
上押縁６は、左側の縦枠３２の左窓縁部３２ｃと右側の縦枠３３の右窓縁部３３ｃとの間にて上押縁固定部３４ｆにビス止めされ、下押縁７は、左側の縦枠３２の左窓縁部３２ｃと右側の縦枠３３の右窓縁部３３ｃとの間にて下押縁固定部３５ｆにビス止めされる。このとき、上押縁６は、下面６ａと屋内側の面６ｂとを覆う化粧材２７とともに、下押縁７は、上面７ａと屋内側の面７ｂとを覆う化粧材２７と共に各々ビス止めされる。ここで化粧材２７は、屋外面材２１および屋内面材２２と同様の、化粧が施された鋼板により形成されている。
【００３８】
上押縁６は、上下方向に互いに間隔を隔てて対向する一対の上押縁対向板部６ｃと、一対の上押縁対向板部６ｃの屋内側の縁を上下に繋ぐ上屋内連結部６ｄとを有し、縦断面がコ字状をなす部位が長手方向（左右方向）に全長に渡って連続する形状をなしている。上押縁６は、上枠３４の押縁固定部３４ｆにビス止めされた際に、一対の上押縁対向板部６ｃの屋外側の縁が、垂設壁部３４ｅの屋外側の面とほぼ面一をなし、上屋内連結部６ｄの屋内側の面が、上押縁固定部３４ｆの屋内側の縁より屋外側に位置するように形成されている。
【００３９】
下押縁７は、上下方向に互いに間隔を隔てて対向する一対の下押縁対向板部７ｃと、一対の下押縁対向板部７ｃの屋内側の縁を上下に繋ぐ下屋内連結部７ｄとを有しているが、対をなす下押縁対向板部７ｃのうちの下側の下押縁対向板部７ｃは、長手方向における両端部側の部位が、屋外側に長く延出されて降下防止部７１をなしている。下押縁７は、降下防止部７１が設けられている点が上押縁６と相違している。
上押縁６の上屋内連結部６ｄと下押縁７の下屋内連結部７ｄとの屋外側の面には、それぞれ熱膨張性黒鉛８が設けられている。
【００４０】
ガラス５は、屋外面材２１の開口形成穴２１ａの周縁部が折り曲げられて形成された採光窓１１及び左窓縁部３２ｃ、右窓縁部３３ｃおよび枠体３に取り付けられた上押縁６および下押縁７にて形成された採光窓１１の上下の幅Ｈ１および左右の幅Ｗ１より大きく形成されており、上押縁固定部３４ｆと下押縁固定部３５ｆとの上下方向における間隔Ｈ２より上下の幅Ｈ３が小さく形成されている。
【００４１】
ガラス５は、屋外面材２１の開口形成穴２１ａの周縁部が折り曲げられた先端にガスケット９が設けられ、下枠３５の下延出部３５ｄに合成樹脂製のセッティングブロック４が載置され、上押縁６および下押縁７が取り外されている状態で取り付けられる。このとき、下延出部３５ｄ上に載置されたセッティングブロック４の上面４ａは、下押縁固定部３５ｆの上面３５ｇより高い位置に位置している。
【００４２】
ガラス５の取り付けは、まず、屋内側からガラス５の左右の端部のうちの一方側（例えば左側）が屋外側に位置するように傾けて、縦枠３２の左端収容部３ｅに挿入した後に、右側を屋外側に移動させ、扉本体２とほぼ平行になった状態で、後から屋外側に移動した右側に、ガラス５の面に沿って移動させてガラス５を採光窓１１のほぼ中央に移動させる。このとき、セッティングブロック４上に載置する。セッティングブロック４は、採光窓１１における左右方向のほぼ中央に配置されており、その幅Ｗ２は、下押縁７の左右の端部に設けられた降下防止部７１間の間隔Ｗ４より狭い。
【００４３】
次に、上押縁６の対をなす上押縁対向板部６ｃのうちの下側の上押縁対向板部６ｃと、この上押縁対向板部６ｃの下面を覆っている化粧材２７の先端にガスケット９を装着し、屋外側のガスケット９と挟持するように上押縁６を化粧材２７とともにビス止めする。
【００４４】
次に、下押縁７の対をなす下押縁対向板部７ｃのうちの上側の下押縁対向板部７ｃと、この下押縁対向板部７ｃの上面を覆っている化粧材２７の先端にガスケット９を装着し、下側の下押縁対向板部７ｃを下押縁固定部３５ｆに載置した状態から屋外側にスライドさせるとともに屋外側のガスケット９とともにガラス５を挟持するように下押縁７を化粧材２７とともにビス止めする。このとき、下押縁７の降下防止部７１がガラス５の下に挿入される。固定された下押縁７の降下防止部７１の上面７１ａと上押縁６の下面６ａとの間隔Ｈ４は、ガラス５の上下方向の幅Ｈ３より狭くなるように構成されている。
【００４５】
本実施形態の扉１の防火構造によれば、採光窓１１が形成される開口部２ａを備えた扉本体２は、外周部が鋼性のフレーム２４に、また、屋外側の面および屋内側の面が鋼板製の屋外面材２１または屋内面材２２により覆われており、開口部２ａの内周を覆う枠体３、ガラス５の上端を収容するガラス上端収容部３ａを形成する上押縁６、枠体３の下端を収容するガラス下端収容部３ｂを形成する下押縁７は、いずれも鋼板製なので、防火性に優れた扉１を提供することが可能である。また、ガラス５は、上端収容部３ａを形成する上押縁６およびガラス下端収容部３ｂを形成する下押縁７が固定されて枠体３の内側に保持されるので、上押縁６および下押縁７を取り外すことにより、ガラス５を容易に取り外すことが可能である。
【００４６】
また、合成樹脂製のセッティングブロック４に載置されたガラス５の下方には、下押縁７の降下防止部７１が配置されるので、たとえ火炎などによりセッティングブロック４が溶融したとしても、ガラス５は降下防止部７１に支えられて降下しない。このため、ガラス５が降下して枠体３との間に隙間が生じることを防止することが可能である。よって、採光窓１１のガラス５を容易に交換可能であり、かつ、防火性に優れた扉１を提供することが可能である。
【００４７】
また、枠体３の、屋外側の開口をなす屋外面材２１の開口形成穴２１ａは、ガラス５のサイズより小さいので、ガラス５が屋外側に外れることはない。また、枠体３の、屋内側の開口をなす屋内面材２２の開口形成穴２２ａの押縁固定部３４ｆ、３５ｆに固定された上押縁６と下押縁７との上下方向の間隔（採光窓の上下の幅）Ｈ１は、ガラス５の上下方向の幅Ｈ３より狭いので、上押縁６と下押縁７とが取り付けられるとガラス５は外れ難い。更に、降下防止部７１と上枠３４の押縁固定部３４ｆに固定された上押縁６の下面６ａとの間隔Ｈ４もガラス５の上下方向の幅Ｈ３より狭いので、ガラス５が載置されているセッティングブロック４が、たとえ火炎等により溶融したとしても、ガラス５は降下防止部７１上に載置されてガラス５の上縁と上押縁６との間に隙間が生じることを防止することが可能である。
【００４８】
また、セッティングブロック４の左右方向における幅Ｗ２はガラス５の幅Ｗ３より狭いので、セッティングブロック４が配置されていない位置に、降下防止部７１をセッティングブロック４と幅方向に並べて配置することが可能である。また、扉１の幅方向において、降下防止部７１とセッティングブロック４とは並べて配置されているので、セッティングブロック４が溶融した際には、ガラス５を自ずと降下防止部７１上に載置させることが可能である。
【００４９】
また、下枠３５の下押縁固定部３５ｆの上面３５ｇに当接された、下押縁７の下側の下押縁対向板部７２をセッティングブロック４の上面４ａより低い位置に延出させて降下防止部７１として機能させるので、下押縁７を簡単な形状としつつも降下防止部７１を設けることが可能である。すなわち、降下防止部７１を備えた下押縁７は形状が簡単なので、製造が容易であり、製造コストを抑えることも可能である。
【００５０】
また、枠体３がガラス５の左右の側端部が収容されるガラス左端収容部３ｅおよびガラス右端収容部３ｅを備えているので、上押縁６及び下押縁７が取り付けられた状態でガラス５が屋内側から外れることを防止することが可能である。
【００５１】
また、扉本体２は枠体３より外周側にパネル材２３を備えているが、従来は火炎等により屋外面材２１および屋内面材２２の開口形成穴２１ａ、２２ａ側の部位に枠体３から離れる方向に反りが生じると、枠体３と屋外面材２１および屋内面材２２との間に隙間が生じ、火炎等がパネル材２３側に進入しやすかった。本実施形態の扉の防火構造によれば、枠体３のパネル材２３に位置する補強材３９に熱膨張性黒鉛８が介在されているので、火炎等により屋外面材２１および屋内面材２２の反りによる隙間が生じても、補強材３９に設けられた熱膨張性黒鉛８が発泡して隙間を埋めるので、パネル材２３が火炎等により損傷することを防止することが可能である。このとき、熱膨張性黒鉛８は、扉１の厚み方向における幅が枠体３およびパネル材２３より狭く形成された補強材３９に設けられているので、熱膨張性黒鉛８が発泡前の状態では、扉の表面および裏面を平坦に仕上げることが可能である。このため、防火性のみならず意匠性にも優れた扉１を提供することが可能である。
【００５２】
上記実施形態においては、扉として玄関扉を例に挙げて説明したが、これに限らず、居室などの室内外を仕切る扉であっても構わない。
上記実施形態においては、扉本体２を覆っている屋外面材２１および屋内面材２２を不燃性である鋼板製とし、枠体３、上押縁６、下押縁７、フレーム２４を不燃性である鉄製としたが、ステンレスやアルミニウム等の不燃性である金属等は、もちろんのこと、火災によりまず表面が炭化し、炭化した表面の断熱効果により内部に燃え進むことを遅らせる、例えば、ＭＤＦ・木材等のような難燃性の材料により構成しても構わない。また、前述した金属製材料と木材の組合せで構成された部材でも構わない。
【００５３】
また、上記実施形態においては、芯材を単にペーパーハニカム製のパネル材２３としたが、これに限るものではなく、屋外面材２１と屋内面材２２との間に介在されて屋外面材２１と屋内面材２２との間隔を確保し維持可能な部材であれば構わない。また、たとえば、ペーパーハニカムに水酸化アルミニウムを浸透させたパネル材、ペーパーハニカムにグラスウールを詰めたパネル材等を用いることにより、耐火性を更に向上させることが可能である。
【００５４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  扉、２  扉本体、２ａ  開口部、３  枠体、３ａ  ガラス上端収容部、
３ｂ  ガラス下端収容部、３ｅ  右端収容部、左端収容部、４  セッティングブロック、
４ａ  上面、５  ガラス、６  上押縁、７  下押縁、７ａ  上面、８  熱膨張性黒鉛、
２１  屋外面材、２１ａ  開口形成穴、２２  屋内面材、２２ａ  開口形成穴、
２３  パネル材、３２  縦枠、３２ａ  縦壁部、３２ｃ  左窓縁部、３３  縦枠、
３３ａ  縦壁部、３３ｃ  右窓縁部、３４  上枠、３４ｃ  上横壁部、
３４ｆ  上押縁固定部（押縁固定部）、３４ｇ  下面、３５  下枠、３５ｃ  下横壁部、
３５ｆ  下押縁固定部、３５ｇ  上面、３９  補強材、７１  降下防止部、
７１  降下防止部材、７１ａ  上面、
【図１】
2015151787.tif 000003
【図２】
2015151787.tif 000004
【図３】
2015151787.tif 000005